(57)【要約】    【課題】  撮像により取得されたデジタル画像データを短時間で所望の解像度とすることができるデジタルカメラ及び画像記憶方法を提供する。    【解決手段】  ＣＣＤ１４による撮像によって被写体像を示すデジタル画像データを取得し、前記デジタル画像データから、互いに異なる解像度とされた複数のデジタル画像データを生成し、当該複数のデジタル画像データによって示されるサンプル画像をＬＣＤ３０に表示し、ＬＣＤ３０に表示した互いに異なる解像度とされた複数のサンプル画像のうちの何れかの選択指示を操作部５６を介して入力させ、入力された選択指示により示されるサンプル画像の解像度とされた前記被写体像を示すデジタル画像データを記録メディア４２Ａに記録する。    【選択図】  図２
2005101757.tif 000002
【特許請求の範囲】
【請求項１】
撮像により被写体像を示すデジタル画像データを取得する撮像手段と、
前記デジタル画像データにより示される被写体像を表示するための表示手段と、
前記デジタル画像データから、互いに異なる解像度とされた複数のデジタル画像データを生成する画像生成手段と、
前記画像生成手段により生成された複数のデジタル画像データによって示される画像を表示するように前記表示手段を制御する表示制御手段と、
前記表示手段に表示された互いに異なる解像度とされた複数の画像のうちの何れかの選択指示を入力する入力手段と、
前記入力手段により入力された選択指示により示される画像の解像度とされた前記被写体像を示すデジタル画像データを記憶する記憶手段と、
を備えたデジタルカメラ。
【請求項２】
前記被写体像を複数の区分領域に区分し、前記撮像手段により取得されたデジタル画像データの高周波成分値が最大となる区分領域を特定する特定手段を更に備え、
前記画像生成手段は、前記特定手段により特定された前記区分領域内の画像を示すデジタル画像データから、前記複数のデジタル画像データを生成する
請求項１に記載のデジタルカメラ。
【請求項３】
前記被写体像の所望の位置を指定するための指定手段と、
前記画像生成手段において前記複数のデジタル画像データを生成する際に用いる前記デジタル画像データを、前記特定手段により特定された前記区分領域内の画像を示すデジタル画像データと前記指定手段により指定された位置を含む一部領域内の画像を示すデジタル画像データとの何れか一方に選択的に切り換える切換手段と、
を更に備えた請求項２に記載のデジタルカメラ。
【請求項４】
前記互いに異なる解像度を、各々前記被写体像の用途に応じた規格に対応する解像度とした請求項１乃至請求項３の何れかに記載のデジタルカメラ。
【請求項５】
撮像により被写体像を示すデジタル画像データを取得し、
前記デジタル画像データから、互いに異なる解像度とされた複数のデジタル画像データを生成し、
当該複数のデジタル画像データによって示される画像を表示手段に表示し、
前記表示手段に表示した互いに異なる解像度とされた複数の画像のうちの何れかの選択指示を入力させ、
入力された選択指示により示される画像の解像度とされた前記被写体像を示すデジタル画像データを記憶する
画像記憶方法。
【発明の詳細な説明】
【技術分野】
【０００１】
本発明は、撮像により取得された被写体像を示すデジタル画像データの解像度を変更可能なデジタルカメラ及び画像記憶方法に関する。
【背景技術】
【０００２】
近年、ＣＣＤ（Charge Coupled Device、電荷結合素子）、ＣＭＯＳ（Complementary Metal Oxide Semiconductor）イメージ・センサ等の撮像素子の高解像度化に伴い、デジタルカメラにおいては、撮像により取得された被写体像を示すデジタル画像データの情報容量が大容量化している。
【０００３】
一方、デジタル画像データを電子メールの添付ファイルとして送信する場合等、用途によっては必ずしも高解像度のデジタル画像データが必要とは限らない。このような場合、一般に、撮像により取得されたデジタル画像データの解像度を低解像度化して情報容量を小さくする処理（所謂、リサイズ処理）が施される。
【０００４】
従来、このようなリサイズ処理に適用できる技術として、特許文献１には、撮像により得られた画像情報を順次フレームメモリに記憶すると共に、ズーム倍率及びズーム位置に応じて、フレームメモリに記憶された画像情報のうち、ズーム位置に応じたアドレスを中心とするズーム倍率に応じた画素数の画像情報のみをズーム倍率に応じた読み出し周波数で読み出してビデオフロッピー（Ｒ）に磁気記録する、という技術が記載されている。
【特許文献１】特開昭６３−６９３８３号公報
【発明の開示】
【発明が解決しようとする課題】
【０００５】
ところで、通常はリサイズ処理後の解像度をデジタルカメラの最高解像度から最低解像度までの間で複数段階に設定可能であるが、解像度を低くするほどデジタル画像データの容量が少なくなる一方で画質が劣化してしまうため、デジタル画像データの容量と画質の双方を考慮して目的に合った解像度を選択する必要がある。
【０００６】
しかしながら、上記特許文献１の技術では、リサイズ処理後の画質が事前には分からないため、目的に合った解像度を選択するまでに時間がかかる、という問題点があった。
【０００７】
本発明は上記問題点を解決するためになされたものであり、撮像により取得されたデジタル画像データを短時間で所望の解像度とすることができるデジタルカメラ及び画像記憶方法を提供することを目的とする。
【課題を解決するための手段】
【０００８】
上記目的を達成するために、請求項１記載のデジタルカメラは、撮像により被写体像を示すデジタル画像データを取得する撮像手段と、前記デジタル画像データにより示される被写体像を表示するための表示手段と、前記デジタル画像データから、互いに異なる解像度とされた複数のデジタル画像データを生成する画像生成手段と、前記画像生成手段により生成された複数のデジタル画像データによって示される画像を表示するように前記表示手段を制御する表示制御手段と、前記表示手段に表示された互いに異なる解像度とされた複数の画像のうちの何れかの選択指示を入力する入力手段と、前記入力手段により入力された選択指示により示される画像の解像度とされた前記被写体像を示すデジタル画像データを記憶する記憶手段と、を備えている。
【０００９】
請求項１に記載のデジタルカメラによれば、撮像素子による撮像によって被写体像を示すデジタル画像データが取得され、当該デジタル画像データにより示される被写体像が表示手段により表示される。
【００１０】
なお、上記表示手段には、ＬＣＤ（Liquid Crystal Display）、ＣＲＴディスプレイ、有機ＥＬディスプレイ、プラズマディスプレイ等のディスプレイが含まれる。
【００１１】
ここで、本発明では、前記デジタル画像データから、互いに異なる解像度とされた複数のデジタル画像データが画像生成手段により生成され、当該複数のデジタル画像データによって示される画像が表示されるように前記表示手段が表示制御手段により制御される。
【００１２】
そして、本発明では、前記表示手段に表示された互いに異なる解像度とされた複数の画像のうちの何れかの選択指示が入力手段により入力され、当該選択指示により示される画像の解像度とされた前記被写体像を示すデジタル画像データが記憶手段により記憶される。
【００１３】
すなわち、本発明では、被写体像を示すデジタル画像データを、互いに異なる複数の解像度の何れかとして記憶手段に記憶する際に、当該デジタル画像データに基づいて前記互いに異なる解像度とされた複数のデジタル画像データを生成して、これらのデジタル画像データにより示される画像を表示手段により表示するようにしている。これにより、撮像により取得されたデジタル画像データの解像度を互いに異なる解像度としたときの各々の画質を目視によって事前に確認することができるので、デジタル画像データの情報容量と画質の双方を考慮して目的に合った解像度を短時間で決定することができ、表示された複数の画像のうちの何れかの選択指示を入力することのみによりデジタル画像データを短時間で所望の解像度として記憶できるようにしている。
【００１４】
なお、上記記憶手段には、スマートメディア、ＳＤカード、メモリスティック、コンパクトフラッシュ（Ｒ）、マイクロドライブ等の可搬記録媒体や、ＲＡＭ、ＥＥＰＲＯＭ、フラッシュメモリ等の半導体記憶素子が含まれる。
【００１５】
このように、請求項１に記載のデジタルカメラによれば、撮像により被写体像を示すデジタル画像データを取得し、前記デジタル画像データから、互いに異なる解像度とされた複数のデジタル画像データを生成し、当該複数のデジタル画像データによって示される画像を表示手段に表示し、前記表示手段に表示した互いに異なる解像度とされた複数の画像のうちの何れかの選択指示を入力させ、入力された選択指示により示される画像の解像度とされた前記被写体像を示すデジタル画像データを記憶しているので、撮像により取得されたデジタル画像データを短時間で所望の解像度とすることができる。
【００１６】
また、本発明は、請求項２に記載の発明のように、前記被写体像を複数の区分領域に区分し、前記撮像手段により取得されたデジタル画像データの高周波成分値が最大となる区分領域を特定する特定手段を更に備え、前記画像生成手段は、前記特定手段により特定された前記区分領域内の画像を示すデジタル画像データから、前記複数のデジタル画像データを生成することが好ましい。
【００１７】
請求項２に記載の発明によれば、被写体像において最も高周波成分が多く含まれる領域（コントラストが最も高い領域）の画像が互いに異なる解像度とされて表示されるので、画質の違いが判断しやすくなる。
【００１８】
また、請求項２に記載の発明は、請求項３に記載の発明のように、前記被写体像の所望の位置を指定するための指定手段と、前記画像生成手段において前記複数のデジタル画像データを生成する際に用いる前記デジタル画像データを、前記特定手段により特定された前記区分領域内の画像を示すデジタル画像データと前記指定手段により指定された位置を含む一部領域内の画像を示すデジタル画像データとの何れか一方に選択的に切り換える切換手段と、を更に備えた構成としてもよい。これにより、切換手段によって前者のデジタル画像データに切り換えることにより請求項２の発明と同様の効果を奏することができ、後者のデジタル画像データに切り換えることにより、画質の違いを判断するための画像として被写体像の好みの領域や主要被写体像が含まれる領域などを表示させることができる。
【００１９】
さらに、本発明は、請求項４に記載の発明のように、前記互いに異なる解像度を、各々前記被写体像の用途に応じた規格に対応する解像度とすることもできる。このようにすることで、用途に応じた解像度を適確に選択することができる。
【００２０】
なお、上記用途に応じた規格としては、ＶＧＡ（Video Graphics Array）、ＸＧＡ（extended Graphics Array）、ＳＶＧＡ（Super Video Graphics Array）等の表示規格や、電子メールの添付ファイルに関する規格等が挙げられる。
【００２１】
一方、上記目的を達成するために、請求項５に記載の画像記憶方法は、撮像により被写体像を示すデジタル画像データを取得し、前記デジタル画像データから、互いに異なる解像度とされた複数のデジタル画像データを生成し、当該複数のデジタル画像データによって示される画像を表示手段に表示し、前記表示手段に表示した互いに異なる解像度とされた複数の画像のうちの何れかの選択指示を入力させ、入力された選択指示により示される画像の解像度とされた前記被写体像を示すデジタル画像データを記憶するものである。
【００２２】
したがって、請求項５に記載の画像記憶方法によれば、上記請求項１に記載の発明と同様に作用するので、請求項１に係る発明と同様に、撮像により取得されたデジタル画像データを短時間で所望の解像度とすることができる。
【発明の効果】
【００２３】
以上説明したように、本発明に係るデジタルカメラ及び画像記憶方法によれば、撮像により被写体像を示すデジタル画像データを取得し、前記デジタル画像データから、互いに異なる解像度とされた複数のデジタル画像データを生成し、当該複数のデジタル画像データによって示される画像を表示手段に表示し、前記表示手段に表示した互いに異なる解像度とされた複数の画像のうちの何れかの選択指示を入力させ、入力された選択指示により示される画像の解像度とされた前記被写体像を示すデジタル画像データを記憶しているので、撮像により取得されたデジタル画像データを短時間で所望の解像度とすることができる、という優れた効果を有する。
【発明を実施するための最良の形態】
【００２４】
以下、図面を参照して、本発明を実施するための最良の形態について詳細に説明する。
【００２５】
まず、図１を参照して、本形態に係るデジタルカメラ１０の外観上の構成を説明する。
【００２６】
同図に示すように、デジタルカメラ１０の正面には、被写体像を結像させるためのレンズ１２と、撮影する被写体の構図を決定するために用いられるファインダ７０と、が備えられている。また、デジタルカメラ１０の上面には、撮影を実行する際に撮影者によって押圧操作されるレリーズボタン（所謂シャッター）５６Ａと、電源スイッチ５６Ｂと、が備えられている。
【００２７】
なお、本実施の形態に係るレリーズボタン５６Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００２８】
そして、本実施の形態に係るデジタルカメラ１０では、レリーズボタン５６Ａを半押し状態にすることによりＡＥ（Automatic Exposure、自動露出）機能が働いて露出状態（シャッタースピード、絞りの状態）が設定された後、ＡＦ（Auto Focus、自動合焦）機能が働いて合焦制御され、その後、引き続き全押し状態にすると露光（撮影）が行われる。
【００２９】
一方、デジタルカメラ１０の背面には、前述のファインダ７０の接眼部と、撮影によって得られたデジタル画像データにより示される被写体像や各種メニュー画面、メッセージ等を表示するための液晶ディスプレイ（以下、「ＬＣＤ」という。）３０と、撮影を行うモードである撮影モード及び撮影によって得られたデジタル画像データにより示される被写体像をＬＣＤ３０に表示（再生）するモードである再生モードの何れかのモードに設定するためにスライド操作されるモード切替スイッチ５６Ｃと、ＬＣＤ３０の表示領域における上・下・左・右の４方向の移動方向を示す４つの矢印キーを含んで構成された十字カーソルボタン５６Ｄと、が備えられている。
【００３０】
また、デジタルカメラ１０の背面には、ＬＣＤ３０にメインメニュー画面を表示する際に押圧操作されるメニューキー５６Ｅと、メニュー画面で指定された処理を実行する際に押圧操作される実行キー５６Ｆと、各種操作を中止（キャンセル）する際に押圧操作されるキャンセルキー５６Ｇと、が備えられている。
【００３１】
次に、図２を参照して、本実施の形態に係るデジタルカメラ１０の電気系の構成を説明する。
【００３２】
同図に示すように、デジタルカメラ１０は、前述のレンズ１２を含んで構成された光学ユニット１３と、レンズ１２の光軸後方に配設されたＣＣＤ１４と、相関二重サンプリング回路（以下、「ＣＤＳ」という。）１６と、入力されたアナログ信号をデジタルデータに変換するアナログ／デジタル変換器（以下、「ＡＤＣ」という。）１８と、を含んで構成されており、ＣＣＤ１４の出力端子はＣＤＳ１６の入力端子に、ＣＤＳ１６の出力端子はＡＤＣ１８の入力端子に、各々接続されている。
【００３３】
ここで、ＣＤＳ１６による相関二重サンプリング処理は、固体撮像素子の出力信号に含まれるノイズ（特に熱雑音）等を軽減することを目的として、固体撮像素子の１画素毎の出力信号に含まれるフィードスルー成分レベルと画素信号成分レベルとの差をとることにより正確な画素データを得る処理である。
【００３４】
一方、デジタルカメラ１０は、所定容量のラインバッファを内蔵すると共に入力されたデジタル画像データを後述する第２メモリ４０の所定領域に直接記憶させる制御を行う画像入力コントローラ２０と、デジタル画像データに対して各種画像処理を施す画像信号処理回路２２と、所定の圧縮形式でデジタル画像データに圧縮処理を施す一方、圧縮処理されたデジタル画像データに伸張処理を施す圧縮・伸張処理回路２４と、デジタル画像データにより示される画像やメニュー画面等をＬＣＤ３０に表示させるための信号を生成してＬＣＤ３０に供給する表示制御回路２８と、を含んで構成されている。なお、画像入力コントローラ２０の入力端子はＡＤＣ１８の出力端子に接続されている。
【００３５】
また、デジタルカメラ１０は、デジタルカメラ１０全体の動作を司るＣＰＵ（中央処理装置）３２と、ＡＦ機能を働かせるために必要とされる物理量（本実施の形態では、ＣＣＤ１４による撮像によって得られた画像の輝度の高周波成分を示すＡＦ評価値。）を検出するＡＦ検出回路３４と、ＡＥ機能及びＡＷＢ（Automatic White Balance）機能を働かせるために必要とされる物理量（本実施の形態では、ＣＣＤ１４による撮像によって得られた画像の明るさを示す量。）を検出するＡＥ・ＡＷＢ検出回路３６と、ＣＰＵ３２による各種処理の実行時のワークエリア等として用いられるＳＤＲＡＭ（Synchronous Dynamic Random Access Memory）により構成された第１メモリ３８と、主として撮影により得られたデジタル画像データを記憶するＶＲＡＭ（Video RAM）により構成された第２メモリ４０と、を含んで構成されている。
【００３６】
更に、デジタルカメラ１０は、スマートメディア（Smart Media(R)）により構成された記録メディア４２Ａをデジタルカメラ１０でアクセス可能とするためのメディアコントローラ４２と、を含んで構成されている。
【００３７】
以上の画像入力コントローラ２０、画像信号処理回路２２、圧縮・伸張処理回路２４、表示制御回路２８、ＣＰＵ３２、ＡＦ検出回路３４、ＡＥ・ＡＷＢ検出回路３６、第１メモリ３８、第２メモリ４０及びメディアコントローラ４２は、各々バスＢＵＳを介して相互に接続されている。
【００３８】
従って、ＣＰＵ３２は、画像入力コントローラ２０、画像信号処理回路２２、圧縮・伸張処理回路２４、及び表示制御回路２８の各々の作動の制御と、ＡＦ検出回路３４及びＡＥ・ＡＷＢ検出回路３６により検出された物理量の取得と、第１メモリ３８及び第２メモリ４０へのアクセスと、メディアコントローラ４２を介した記録メディア４２Ａへのアクセスと、を各々行うことができる。
【００３９】
なお、ＣＰＵ３２は、ＡＦ検出回路３４に対し、ＡＦ評価値の検出対象とするエリア（以下、「フォーカスエリア」という。）として撮像された画像の一部のエリアを指定することにより、当該画像内の任意の分割エリアにおけるＡＦ評価値を取得することができる。すなわち、本実施の形態に係るデジタルカメラ１０は、フォーカスエリアをユーザによって指定する機能を有するものとして構成されている。
【００４０】
一方、デジタルカメラ１０には、主としてＣＣＤ１４を駆動させるためのタイミング信号を生成してＣＣＤ１４に供給するタイミングジェネレータ４８が設けられている。当該タイミングジェネレータ４８の入力端子はＣＰＵ３２に、出力端子はＣＣＤ１４に各々接続されており、ＣＣＤ１４の駆動は、ＣＰＵ３２によりタイミングジェネレータ４８を介して制御される。
【００４１】
更に、ＣＰＵ３２はモータ駆動部５０の入力端子に接続され、モータ駆動部５０の出力端子は光学ユニット１３に備えられた焦点調整モータ、ズームモータ及び絞り駆動モータに接続されている。
【００４２】
本実施の形態に係る光学ユニット１３に含まれるレンズ１２は複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、焦点調整モータ、ズームモータ及び絞り駆動モータは各々ＣＰＵ３２の制御下でモータ駆動部５０から供給された駆動信号によって駆動される。
【００４３】
ＣＰＵ３２は、光学ズーム倍率を変更する際にはズームモータを駆動制御して光学ユニット１３に含まれるレンズ１２の焦点距離を変化させる。
【００４４】
また、ＣＰＵ３２は、ＣＣＤ１４による撮像によって得られた画像のコントラストが最大となるように上記焦点調整モータを駆動制御することによって合焦制御を行う。すなわち、本実施の形態に係るデジタルカメラ１０では、合焦制御として、読み取られた画像のコントラストが最大となるようにレンズの位置を設定する、所謂ＴＴＬ（Through The Lens）方式を採用している。
【００４５】
更に、前述のレリーズボタン５６Ａ、電源スイッチ５６Ｂ、モード切替スイッチ５６Ｃ、十字カーソルボタン５６Ｄ、メニューキー５６Ｅ、実行キー５６Ｆ及びキャンセルキー５６Ｇを含む操作部５６はＣＰＵ３２に接続されており、ＣＰＵ３２は、これら操作部５６の各々に対する操作状態を常時把握できる。
【００４６】
なお、本実施の形態に係るデジタルカメラ１０はＥｘｉｆ（Exchangeable Image File Format）規格に対応しており、メニューキー５６Ｅの押圧操作に応じてＬＣＤ３０に表示されるメインメニュー画面上でＥｘｉｆ規格の画像ファイルに含まれるタグ領域に記憶したい情報を予め設定しておくことにより、それ以降の撮影によって得られた画像ファイルのタグ領域に当該情報を記憶することができる。
【００４７】
すなわち、図３に示すように、本実施の形態に係るデジタルカメラ１０において、撮影により得られて記録メディア４２Ａに記憶される画像ファイル６０はＥｘｉｆ規格に対応しているため、スタートコード領域６０Ａ、タグ領域６０Ｂ、サムネイル画像領域６０Ｃ、及び主画像領域６０Ｄが含まれている。ここで、タグ領域６０Ｂには、メインメニュー画面上で予め設定された各種情報が記憶されることになる。
【００４８】
なお、タグ領域６０Ｂに記憶可能な情報として、本実施の形態では、当該画像ファイルを得るための撮影に関する撮影情報（ストロボの発光状態を示す情報、絞りの状態を示す情報、撮影日時を示す情報、フォーカスエリアを示す情報等）や、デジタルカメラ１０で設定されていた撮影条件（マニュアル撮影、オート撮影、プログラム撮影、マクロ撮影、移動体撮影、夜景撮影、人物撮影等）を示す情報等が予め設定できるものとして構成されている。
【００４９】
次に、本実施の形態に係るデジタルカメラ１０の作用を説明する。まず、撮影モードが設定されている場合の全体的な処理の流れについて簡単に説明する。
【００５０】
まず、ＣＣＤ１４による光学ユニット１３を介した撮像が行なわれ、被写体像を示す信号がＣＣＤ１４から順次出力される。そして、ＣＣＤ１４から出力された信号は順次ＣＤＳ１６に入力されて相関二重サンプリング処理が施された後にＡＤＣ１８に入力され、ＡＤＣ１８は、ＣＤＳ１６から入力されたＲ（赤）、Ｇ（緑）、Ｂ（青）の信号を各々１２ビットのＲ、Ｇ、Ｂ信号（デジタル画像データ）に変換して画像入力コントローラ２０に出力する。
【００５１】
画像入力コントローラ２０は内蔵しているラインバッファにＡＤＣ１８から順次入力されるデジタル画像データを蓄積して一旦第２メモリ４０の所定領域に格納する。
【００５２】
第２メモリ４０の所定領域に格納されたデジタル画像データは、ＣＰＵ３２による制御下で画像信号処理回路２２によって読み出され、これらにＡＥ・ＡＷＢ検出回路３６により検出された物理量に応じたデジタルゲインをかけることでホワイトバランス調整を行なうと共に、ガンマ処理及びシャープネス処理を行なって８ビットのデジタル画像データを生成し、更にＹＣ信号処理を施して輝度信号Ｙとクロマ信号Ｃｒ、Ｃｂ（以下、「ＹＣ信号」という。）を生成し、ＹＣ信号を第２メモリ４０の上記所定領域とは異なる領域に格納する。
【００５３】
なお、ＬＣＤ３０は、ＣＣＤ１４による連続的な撮像によって得られた動画像（スルー画像）を表示してファインダとして使用することができるものとして構成されているが、このようにＬＣＤ３０をファインダとして使用する場合には、生成したＹＣ信号を、表示制御回路２８を介して順次ＬＣＤ３０に出力する。これによってＬＣＤ３０にスルー画像が表示されることになる。
【００５４】
ここで、レリーズボタン５６Ａがユーザによって半押し状態とされた場合、前述のようにＡＥ機能が働いて露出状態が設定された後、ＡＦ機能が働いて合焦制御され、その後、引き続き全押し状態とされた場合、この時点で第２メモリ４０に格納されているＹＣ信号を、圧縮・伸張処理回路２４によって所定の圧縮形式（本実施の形態では、ＪＰＥＧ形式）で圧縮した後に記録メディア４２ＡにＥｘｉｆフォーマットの画像ファイルとして記憶する。この際、当該画像ファイルのタグ領域には、予めメインメニュー画面上で当該タグ領域に記憶すべき情報として設定された情報が記憶されることになる。
【００５５】
なお、レリーズボタン５６Ａを操作する際にユーザは、必要に応じて所望のフォーカスエリアを十字カーソルボタン５６Ｄに対する操作により指定する。これにより、所望の位置にピントが合った画像を得ることができる。
【００５６】
次に、図４を参照して、再生モードが設定されている場合にデジタルカメラ１０で実行される再生処理について説明する。なお、図４は、このときデジタルカメラ１０のＣＰＵ３２で所定期間（本実施の形態では、０．５秒）毎に実行される再生処理プログラムの処理の流れを示すフローチャートである。
【００５７】
まず、ステップ１００では、予め定められた画像ファイルにより示される画像を再生画像とした再生画面をＬＣＤ３０に表示制御回路２８を介して表示する。なお、ここでは、予め定められた画像ファイルとして、例えば、撮影日時が最も新しい画像ファイルを適用する。
【００５８】
ここで、図５（Ａ）を参照して、上記再生画面について説明する。
【００５９】
本実施の形態に係るデジタルカメラ１０では、再生画像の縦横比を３：４とし、ＬＣＤ３０の表示領域の縦横比を９：１６として再生画面が表示される。これにより、再生画像の縦横比とＬＣＤ３０の表示領域の縦横比とが異なるため、ＬＣＤ３０に再生画像全体をできるだけ大きく表示してもＬＣＤ３０の表示領域に空スペースができる。そこで、同図に示す例では、ＬＣＤ３０の表示領域における左側のスペースを再生表示領域Ｅ１とし、右側のスペースを情報表示領域Ｅ２としている。なお、情報表示領域Ｅ２には、ユーザの操作に応じた各種情報を表示するようにしており、ステップ１００では再生画像の撮影情報を表示する。
【００６０】
ステップ１０２では、ユーザによる操作部５６の操作状態を示す操作信号の入力待ちを行ない、次のステップ１０４では、入力された操作信号がユーザによりメニューキー５６Ｅが操作されたことを示すものであったか否かを判定し、当該判定が否定判定となった場合はステップ１０６に移行して、操作信号に応じた再生に関する動作を実行し、その後に本再生処理プログラムを終了する。
【００６１】
一方、ステップ１０４で肯定判定となった場合はステップ１０５に移行し、ＬＣＤ３０の再生表示領域Ｅ１に表示されている画像を示すデジタル画像データ（画像ファイル）を処理対象としたメニュー項目を情報表示領域Ｅ２に表示する。
【００６２】
なお、ここでは、一例として図５（Ｂ）に示すように、上記撮影情報に代えて、消去、プリント予約、リサイズ等の処理をメニュー項目として表示すると共に、当該メニュー項目の何れかの選択位置を示す選択カーソルＣ１を表示する。
【００６３】
この場合、ユーザは、十字カーソルボタン５６Ｄの上方向矢印キー及び下方向矢印キーの操作により選択カーソルＣ１を所望のメニュー項目を示す位置に移動させた後、実行キー５６Ｆを押圧操作することにより、所望のメニュー項目を選択する。
【００６４】
なお、同図にメニュー項目として示した「消去」はデジタル画像データの削除を、「プリント予約」はデジタル画像データのプリント条件等の設定を、「リサイズ（表示エリア指定）」及び「リサイズ（表示エリア自動）」はデジタル画像データの低解像度化を、それぞれ行なうための項目である。
【００６５】
ステップ１０８では、ユーザによるメニュー項目の選択待ちを行ない、次のステップ１１０では、選択されたメニュー項目（図５（Ｂ）に示す例では、実行キー５６Ｆが操作された時点で選択カーソルＣ１が位置されたメニュー項目）がリサイズ処理の実行を示すものであったか否かを判定する。リサイズ処理の実行を示すメニュー項目（図５（Ｂ）に示す例では、「リサイズ（表示エリア自動）」又は「リサイズ（表示エリア指定）」）が選択された場合は当該判定が肯定判定となり、ステップ１１４に移行する。一方、ステップ１１０で否定判定となった場合はステップ１１２に移行し、リサイズ処理以外の選択されたメニュー項目に応じた処理を実行し、その後に本再生処理プログラムを終了する。
【００６６】
ところで、デジタルカメラ１０では、リサイズ処理を実行する際に、リサイズ処理後の解像度として用途に応じた規格に対応する複数の解像度の何れかがユーザによって選択されるようになっており、このために、用途に応じた規格に対応する互いに異なる解像度とされた複数の画像をサンプル画像として表示することにより、リサイズ処理後の画質を事前に目視により確認できるようにしている。
【００６７】
そこで、ステップ１１４では、リサイズ処理の対象となる被写体像（再生表示領域Ｅ１に表示されている画像）におけるサンプル画像として表示する表示エリアを設定すべく、当該表示エリアをユーザの指定により設定するか否かを判定する。ここで、ユーザにより選択されたメニュー項目が表示エリアをユーザが指定した領域とすることを示すもの（図５（Ｂ）に示す例では、「リサイズ（表示エリア指定）」）であった場合は当該判定が肯定判定となってステップ１１６に移行し、ユーザの操作に応じて指定された領域を表示エリアとして設定し、その後にステップ１１９に移行する。
【００６８】
例えば、当該表示エリアの設定は、再生画像に重ねて、ユーザの十字カーソルボタン５６Ｄの操作に応じて再生画像上を移動可能な所定大きさの矩形枠（図８に示す矩形枠５８と同様の枠）を表示すると共に、ユーザにより実行キー５６Ｆが操作された時点で当該矩形枠により示される領域が指定されたことを確定し、当該領域を表示エリアとすることにより行なうことができる。
【００６９】
一方、ステップ１１４で否定判定となった場合はユーザにより表示エリアを自動的に設定するメニュー項目（図５（Ｂ）に示す例では、「リサイズ（表示エリア自動）」）が選択されたものと判断してステップ１１８に移行し、表示エリア自動設定処理を実行する。
【００７０】
ここで、図６を参照しながら当該表示エリア自動設定処理について説明する。なお、図６は、このときＣＰＵ３２により実行される表示エリア自動設定処理プログラムの処理の流れを示すフローチャートである。
【００７１】
まず、ステップ１３０では、再生中の被写体像を示すデジタル画像データを当該被写体像と同様の２次元平面状に第２メモリ４０に展開（マッピング）し、次のステップ１３２では、展開したデジタルデータを参照して、再生中の被写体像を一例として図７に示すように所定の区分領域に区分（図７に示す例では、縦方向及び横方向にそれぞれ１０等分に区分）したときの各区分領域毎にＡＦ評価値を導出するようにＡＦ検出回路３４を動作させることによって、各区分領域毎のＡＦ評価値を取得する。
【００７２】
次のステップ１３６では、ＡＦ評価値が最大となる区分領域を特定し、次のステップ１３８にて、特定した区分領域を表示エリアとして設定すると共に、当該特定した表示エリアを認識させるべく、再生画像に重ねて表示エリアを示す矩形枠を表示し（図８に示す矩形枠５８と同様の枠）、その後に本表示エリア自動設定処理プログラムを終了して再生処理プログラム（図４参照）のステップ１１９に移行する。
【００７３】
ステップ１１９では、表示エリアとして設定された領域の画像を示すデジタル画像データに基づき、用途に応じた規格に対応する互いに異なる解像度とされた複数のデジタル画像データを生成する。これにより、各々解像度のみが互いに異なる複数のサンプル画像が表示可能となる。
【００７４】
なお、各デジタル画像データは、例えば、表示エリア内の画像を示すデジタル画像データから、解像度に応じて予め定められた画素数毎に画素データを間引くことにより生成される。
【００７５】
次のステップ１２０では、生成した複数のデジタル画像データにより示されるサンプル画像をＬＣＤ３０に表示する。
【００７６】
このとき、一例として図８に示すように、情報表示領域Ｅ２に対し、各サンプル画像を縦方向に並べて配置する。また、同図に示すように、サンプル画像の何れかの選択位置を示す選択カーソルＣ２を何れかのサンプル画像に重ねて表示すると共に、各サンプル画像に重ねて、それぞれのサンプル画像を選択した場合の、再生画像表示領域Ｅ１に表示された画像を示すデジタル画像データのリサイズ処理後の情報容量（同図における「０．３Ｍ」、「１Ｍ」及び「３Ｍ」）を表示する。また、同図に示すように、再生表示領域Ｅ１に再生中の被写体像におけるサンプル画像として表示されている領域を示す矩形枠５８を当該被写体像に重ねて表示している。
【００７７】
なお、同図に示す例では、各サンプル画像を同じ大きさでＬＣＤ３０に表示するために、サンプル画像を構成する全画素をそれぞれ各サンプル画像の解像度に応じて等倍することによりサンプル画像を拡大して表示している。このため、各サンプル画像の画質の違いが判断しやすくなる。
【００７８】
この場合、ユーザは、サンプル画像を参照しつつ情報容量と画質とを考慮して何れの解像度を適用するかを決定し、十字カーソルボタン５６Ｄの上方向矢印キー及び下方向矢印キーを操作して、決定した解像度とされたサンプル画像を示す位置に選択カーソルＣ２を移動させた後、実行キー５６Ｆを押圧操作する。
【００７９】
なお、図８に示す例では、３つのサンプル画像がＬＣＤ３０に表示されているが、表示すべきサンプル画像の数が多く、一画面に表示できない場合には、十字カーソルボタン５６Ｄの上方向矢印キー及び下方向矢印キーの操作に応じて、各サンプル画像を上下方向に順次スクロール表示可能に構成することもできる。
【００８０】
次のステップ１２２では、ユーザによる解像度の選択待ちを行ない、次のステップ１２４では、再生表示領域Ｅ１に表示された画像を示すデジタル画像データを、ユーザによって選択された解像度（図８に示す例では、実行キー５６Ｆが操作された時点で選択カーソルＣ２が位置されたサンプル画像の解像度）となるようにリサイズ処理を施し、得られたデジタル画像データを記録メディア４２Ａに記録し、その後に本再生処理プログラムを終了する。
【００８１】
以上詳細に説明したように、本実施の形態によれば、ＣＣＤ１４による撮像によって被写体像を示すデジタル画像データを取得し、前記デジタル画像データから、互いに異なる解像度とされた複数のデジタル画像データを生成し、当該複数のデジタル画像データによって示されるサンプル画像をＬＣＤ３０に表示し、ＬＣＤ３０に表示した互いに異なる解像度とされた複数のサンプル画像のうちの何れかの選択指示を操作部５６を介して入力させ、入力された選択指示により示されるサンプル画像の解像度とされた前記被写体像を示すデジタル画像データを記録メディア４２Ａに記録しているので、撮像により取得されたデジタル画像データを短時間で所望の解像度とすることができる。
【００８２】
また、本実施の形態によれば、表示エリア自動設定処理において、被写体像を複数の区分領域に区分し、ＣＣＤ１４により取得されたデジタル画像データのＡＦ評価値が最大となる区分領域をＣＰＵ３２により特定し、当該区分領域内の画像を示すデジタル画像データから、各サンプル画像を示す複数のデジタル画像データを生成しているので、被写体像において高周波成分が最も多く含まれる領域（コントラストが最も高い領域）の画像が表示エリアとして設定されて互いに異なる解像度とされたサンプル画像として表示され、画質の違いが判断しやすくなる。
【００８３】
さらに、本実施の形態によれば、操作部５６を介した被写体像の所望の位置の指定を可能とし、操作部５６を介したメニュー項目の選択状況に応じて、複数のデジタル画像データを生成する際に用いる前記デジタル画像データを、ＣＰＵ３２により特定された区分領域内の画像を示すデジタル画像データと操作部５６を介して指定された位置が含まれる一部領域内の画像を示すデジタル画像データとの何れか一方に選択的に切り換える（ステップ１１４の処理に相当。）ので、前者のデジタル画像データに切り換えることにより、表示エリア自動設定処理により自動的に表示エリアを設定でき、後者のデジタル画像データに切り換えることにより、画質の違いを判断するための画像として被写体像の好みの領域や主要被写体像が含まれる領域などを表示させることができる。
【００８４】
さらに、本実施の形態によれば、前記予め定められた複数の解像度を、各々用途に応じた規格に対応する解像度としているので、用途に応じた解像度を適確に選択することができる。
【００８５】
なお、本実施の形態では、表示エリアを自動的に設定するか指定により設定するかを判定し、動作を切り換える（図４のステップ１１４乃至ステップ１１８の処理に相当する）形態について説明したが、本発明はこれに限定されるものではなく、例えば、常に表示エリア自動設定処理により表示エリアを設定するようにしてもよい。
【００８６】
また、本実施の形態に係る表示エリア自動設定処理においては、被写体像において高周波成分が最も多く含まれる領域（コントラストが最も高い領域）を表示エリアとして設定するものとして説明したが、本発明はこれに限定されるものではなく、被写体像全体を表示エリアとして設定してもよいし、撮影時にＡＦ制御を行ったフォーカスエリアを表示エリアとして設定してもよい。なお、フォーカスエリアを表示エリアとして設定する場合には、画像ファイルのタグに撮影情報の１つとしてフォーカスエリアを記憶するか、画像ファイルに応じたフォーカスエリアを記憶するためのテーブルを設ける等して、何らかの形で画像ファイルに応じたフォーカスエリアを記憶しておく必要がある。
【００８７】
このように、本実施の形態で説明したフローチャート（図４及び図６参照）の処理の流れは一例であり、本発明の主旨を逸脱しない範囲内において適宜変更可能であることは言うまでもない。
【００８８】
また、以上のデジタルカメラ１０の構成（図１乃至図３参照）も一例であり、本発明の主旨を逸脱しない範囲内において適宜変更可能であることは言うまでもない。
【図面の簡単な説明】
【００８９】
【図１】実施の形態に係るデジタルカメラの外観を示す外観図である。
【図２】実施の形態に係るデジタルカメラの電気系の構成を示すブロック図である。
【図３】Ｅｘｉｆファイルの構成を示す模式図である。
【図４】実施の形態に係る再生処理プログラムの処理の流れを示すフローチャートである。
【図５】（Ａ）・（Ｂ）は再生処理プログラムの実行時におけるＬＣＤの表示状態の一例を示す模式図である。
【図６】実施の形態に係る表示エリア自動設定処理プログラムの処理の流れを示すフローチャートである。
【図７】実施の形態に係る被写体像の区分例を示す模式図である。
【図８】サンプル画像がＬＣＤに表示された状態を一例として示す模式図である。
【符号の説明】
【００９０】
１０    デジタルカメラ
１４    ＣＣＤ（撮像手段）
３０    ＬＣＤ（表示手段）
３２    ＣＰＵ（画像生成手段、表示制御手段、特定手段、切換手段）
４２Ａ    記録メディア（記憶手段）
５６    操作部（入力手段、指定手段）
【図１】
2005101757.tif 000003
【図２】
2005101757.tif 000004
【図３】
2005101757.tif 000005
【図４】
2005101757.tif 000006
【図５】
2005101757.tif 000007
【図６】
2005101757.tif 000008
【図７】
2005101757.tif 000009
【図８】
2005101757.tif 000010